(57)【要約】【課題】製造性が良好であるとともに、長期間の使用に対しても収納体の確実な出し入れ操作を保証することが可能なノック式スライドケースを提供する。【解決手段】収納体４については、位置割出部６に回転体８を係合させた状態で回転体８に第２バネ１０を当て、その後第２バネ１０側から収納体４に向かって支軸２２を挿入し、支軸２２の係止突起２２ａを保持ピース２４で収納体４に固定する。また、筒部に第１バネを装着する。他方、ケース本体は別体とされた天井部を取り外しておいて、底部の保持片２５に保持ブロック１３を固定するとともに弾性片を装着し、その後、天井部を取り付けて箱体状とする。このようにして収納体４およびケース本体を完成した後、収納体４をケース本体の開口部から差し込むことにより、組立を完成する。【選択図】図４
2005170403.tif 000002
【特許請求の範囲】
【請求項１】
開口部を一端に有する中空のケース本体と、
該ケース本体内にスライド自在に設けられ、上記開口部から該ケース本体外方へ出没させるために該ケース本体内方へと押し込み操作される収納体と、
該収納体を上記ケース本体外方へ突出させる方向に常時押圧付勢する第１付勢部材と、
上記収納体に一体的にその押し込み操作方向へ向かって突出形成された円筒状の位置割出部と、
該位置割出部にその周方向に沿って形成された割出溝と、
上記位置割出部に対して相対回転可能に上記収納体の押し込み操作方向から突き合わせて配置された円筒状の回転体と、
該回転体にその周方向に沿って形成されて上記割出溝に係脱自在に係合され、該割出溝に係合されて上記位置割出部に対する該回転体の取付位置を割り出し、該位置割出部に対し該回転体が相対回転されて該割出溝から離脱される係合突起と、
上記回転体を上記位置割出部へ向かって上記収納体の押し込み操作方向に常時押圧付勢し、上記割出溝に上記係合突起を係合させて取付位置にてこれら回転体と位置割出部とを一体化させる第２付勢部材と、
上記回転体に少なくとも１つ形成され、上記第２付勢部材に抗して上記位置割出部に対する該回転体の相対回転を生じさせるための回転生成突起と、
上記ケース本体に固定して設けられ、上記収納体の押し込み操作に従って移動される上記位置割出部や上記回転体を介して、上記第１付勢部材に抗して該ケース本体内への該収納体の没入状態を解除可能に保持させるために、上記回転生成突起と連係される制御突起が少なくとも１つ形成された円筒状内周面を有する保持部とを備え、
上記制御突起は、
上記回転生成突起を、上記収納体の押し込み操作方向に沿ってその入口と出口との間にわたって案内する案内通路を上記円筒状内周面上に区画形成する一対の端面を有し、
いずれか一方の端面には、上記案内通路の入口に位置させて、該収納体の押し込み操作に応じて該案内通路の入口から出口に向かう該回転生成突起を、上記第２付勢部材に抗して上記回転体を正転方向へ相対回転させるために押圧しつつ、該案内通路へと案内する第１当接面が形成されるとともに、
上記案内通路の出口に位置させて、該案内通路をその入口から出口へ経過した上記回転生成突起を上記第２付勢部材に抗して係止し、再度の上記収納体の押し込み操作に応じて該回転生成突起が離脱される係止溝が形成され、
さらに、他方の端面には、上記案内通路の出口に位置させて、上記係止溝から離脱されて第１付勢部材による押圧付勢で該案内通路の出口から入口に向かう上記回転生成突起を、上記第２付勢部材に抗して上記回転体を反転方向へ相対回転させるために押圧しつつ、該案内通路へと案内する第２当接面が形成されることを特徴とするノック式スライドケース。
【発明の詳細な説明】
【技術分野】
【０００１】
本発明は、製造性が良好であるとともに、長期間の使用に対しても収納体の確実な出し入れ操作を保証することが可能なノック式スライドケースに関する。
【背景技術】
【０００２】
従来、ケース本体とこのケース本体の開口部に出し入れし得る収納体との組み合わせからなるスライドケースとしては、例えば特許文献１に開示されたものが知られている。この従来技術では、一側面が開口したケース状容器本体とこのケース状容器本体に開口部から引き出し自在に収納し得る収納皿とよりなる引き出し容器に於いて、ケース状容器本体と収納皿との間に収納皿を常に外方に付勢する手段を設けると共に、ケース状容器本体と収納皿との相隣接する面の何れかの一方に係合手段を有する揺動アームを揺動自在に一体的に突設し、かつ相対向する他方の面に該揺動アームを揺動させながら案内し得る湾曲ガイド溝と前記係合手段と係合する係合手段とを設けて構成し、前記揺動アームを湾曲ガイド溝内に導入して両方の係合手段を組み合わせることによって収納皿をケース状容器本体に確実に係合固定することが出来、更に収納皿を押圧して揺動アームを再度移動することによって今度は両方の係合手段を解放して収納皿をケース状容器本体より引き出すことが出来るようになっている。
【特許文献１】実公平７−２５２９７号公報
【発明の開示】
【発明が解決しようとする課題】
【０００３】
ところで、上記従来技術にあっては、ケース状容器本体内に開口部から収納皿を挿入して組付けを行う組立作業において、揺動アームが振れ動くため、これを湾曲ガイド溝へと導入する作業が煩わしく、その製造性が良くないという課題があった。また、繰り返される収納皿の出し入れ操作のために、これに応じて振り動かされる揺動アームが脆弱化しやすく、この結果、湾曲ガイド溝内に導入されて両方の係合手段を組み合わせる作用が弱まって、収納皿をケース状容器本体に係合固定する作用が早期に失われるおそれがあり、長期間にわたる使用には不向きであるという課題があった。
【０００４】
本発明は上記従来の課題に鑑みて創案されたものであって、製造性が良好であるとともに、長期間の使用に対しても収納体の確実な出し入れ操作を保証することが可能なノック式スライドケースを提供することを目的とする。
【課題を解決するための手段】
【０００５】
本発明にかかるノック式スライドケースは、開口部を一端に有する中空のケース本体と、該ケース本体内にスライド自在に設けられ、上記開口部から該ケース本体外方へ出没させるために該ケース本体内方へと押し込み操作される収納体と、該収納体を上記ケース本体外方へ突出させる方向に常時押圧付勢する第１付勢部材と、上記収納体に一体的にその押し込み操作方向へ向かって突出形成された円筒状の位置割出部と、該位置割出部にその周方向に沿って形成された割出溝と、上記位置割出部に対して相対回転可能に上記収納体の押し込み操作方向から突き合わせて配置された円筒状の回転体と、該回転体にその周方向に沿って形成されて上記割出溝に係脱自在に係合され、該割出溝に係合されて上記位置割出部に対する該回転体の取付位置を割り出し、該位置割出部に対し該回転体が相対回転されて該割出溝から離脱される係合突起と、上記回転体を上記位置割出部へ向かって上記収納体の押し込み操作方向に常時押圧付勢し、上記割出溝に上記係合突起を係合させて取付位置にてこれら回転体と位置割出部とを一体化させる第２付勢部材と、上記回転体に少なくとも１つ形成され、上記第２付勢部材に抗して上記位置割出部に対する該回転体の相対回転を生じさせるための回転生成突起と、上記ケース本体に固定して設けられ、上記収納体の押し込み操作に従って移動される上記位置割出部や上記回転体を介して、上記第１付勢部材に抗して該ケース本体内への該収納体の没入状態を解除可能に保持させるために、上記回転生成突起と連係される制御突起が少なくとも１つ形成された円筒状内周面を有する保持部とを備え、上記制御突起は、上記回転生成突起を、上記収納体の押し込み操作方向に沿ってその入口と出口との間にわたって案内する案内通路を上記円筒状内周面上に区画形成する一対の端面を有し、いずれか一方の端面には、上記案内通路の入口に位置させて、該収納体の押し込み操作に応じて該案内通路の入口から出口に向かう該回転生成突起を、上記第２付勢部材に抗して上記回転体を正転方向へ相対回転させるために押圧しつつ、該案内通路へと案内する第１当接面が形成されるとともに、上記案内通路の出口に位置させて、該案内通路をその入口から出口へ経過した上記回転生成突起を上記第２付勢部材に抗して係止し、再度の上記収納体の押し込み操作に応じて該回転生成突起が離脱される係止溝が形成され、さらに、他方の端面には、上記案内通路の出口に位置させて、上記係止溝から離脱されて第１付勢部材による押圧付勢で該案内通路の出口から入口に向かう上記回転生成突起を、上記第２付勢部材に抗して上記回転体を反転方向へ相対回転させるために押圧しつつ、該案内通路へと案内する第２当接面が形成されることを特徴とする。
【発明の効果】
【０００６】
本発明にかかるノック式スライドケースにあっては、製造性が良好であるとともに、長期間の使用に対しても収納体の確実な出し入れ操作を保証することができる。
【発明を実施するための最良の形態】
【０００７】
以下に、本発明にかかるノック式スライドケースの好適な一実施形態を、添付図面を参照して詳細に説明する。本実施形態にかかるノック式スライドケース１は基本的には、図１〜図６に示すように、開口部２を一端に有する中空のケース本体３と、ケース本体３内にスライド自在に設けられ、開口部２からケース本体３外方へ出没させるためにケース本体３内方へと押し込み操作される収納体４と、収納体４をケース本体３外方へ突出させる方向に常時押圧付勢する第１付勢部材としての第１バネ５と、収納体４に一体的にその押し込み操作方向へ向かって突出形成された円筒状の位置割出部６と、位置割出部６にその周方向に沿って形成された割出溝７と、位置割出部６に対して相対回転可能に収納体４の押し込み操作方向から突き合わせて配置された円筒状の回転体８と、回転体８にその周方向に沿って形成されて割出溝７に係脱自在に係合され、割出溝７に係合されて位置割出部６に対する回転体８の取付位置を割り出し、位置割出部６に対し回転体８が相対回転されて割出溝７から離脱される係合突起９と、回転体８を位置割出部６へ向かって収納体４の押し込み操作方向に常時押圧付勢し、割出溝７に係合突起９を係合させて取付位置にてこれら回転体８と位置割出部６とを一体化させる第２付勢部材としての第２バネ１０と、回転体８に少なくとも１つ形成され、第２バネ１０に抗して位置割出部６に対する回転体８の相対回転を生じさせるための回転生成突起１１と、ケース本体３に固定して設けられ、収納体４の押し込み操作に従って移動される位置割出部６や回転体８を介して、第１バネ５に抗してケース本体３内への収納体４の没入状態を解除可能に保持させるために、回転生成突起１１と連係される制御突起１２が少なくとも１つ形成された円筒状内周面を有する保持部としての保持ブロック１３とを備え、制御突起１２は、回転生成突起１１を、収納体４の押し込み操作方向に沿ってその入口と出口との間にわたって案内する案内通路１４を円筒状内周面上に区画形成する一対の端面１２ａ，１２ｂを有し、いずれか一方の端面１２ａには、案内通路１４の入口に位置させて、収納体４の押し込み操作に応じて案内通路１４の入口から出口に向かう回転生成突起１１を、第２バネ１０に抗して回転体８を正転方向へ相対回転させるために押圧しつつ、案内通路１４へと案内する第１当接面１５が形成されるとともに、案内通路１４の出口に位置させて、案内通路１４をその入口から出口へ経過した回転生成突起１１を第２バネ１０に抗して係止し、再度の収納体４の押し込み操作に応じて回転生成突起１１が離脱される係止溝１６が形成され、さらに、他方の端面１２ｂには、案内通路１４の出口に位置させて、係止溝１６から離脱されて第１バネ５による押圧付勢で案内通路１４の出口から入口に向かう回転生成突起１１を、第２バネ１０に抗して回転体８を反転方向へ相対回転させるために押圧しつつ、案内通路１４へと案内する第２当接面１７が形成されて構成される。
【０００８】
ケース本体３は、中空な直方体状に形成され、その前壁面に開口部２が形成される。また、ケース本体３の開口部２近傍には、その左右壁面それぞれから中空内部に僅かに突出させて弾性片１８が設けられる。収納体４は、収納部１９を有する平面矩形状の皿状に形成され、開口部２から露出される前端面に操作突起２０が形成されるとともに、反対側の後端面には、左右一対備えられる第１バネ５の前端が離脱不能に挿入される筒部２１が左右一対形成される。そしてこの収納体４は、左右両側から弾性的に圧接する弾性片１８によって案内されつつ、ケース本体３内にスライド自在に設けられる。
【０００９】
特にこの収納体４は、ノック式ボールペンのように操作突起２０を介してケース本体３内方へとノック式に押し込み操作されることで、開口部２からケース本体３外方へ突出されたり、あるいはケース本体３内に没入されるようになっている。一対の第１バネ５は、それらの後端がケース本体３の後壁面に接離自在に当接される。第１バネ５は、ケース本体３に反力をとって圧縮されることで収納体４を常時押圧付勢し、これにより収納体４には常時開口部２からケース本体３外方へと突出される習性が与えられる。
【００１０】
収納体４には、その後端面中央からその押し込み操作方向に向かって中空円筒状の位置割出部６が一体的に突出形成される。この位置割出部６の突出先端には、その端面に位置割出部６の周方向に沿って鋸歯状の凹凸が形成され、この凹凸によって複数の割出溝７が形成される。すなわち、割出溝７は、鋸歯状の凹凸を形成する一対の傾斜部の谷によって形成される。また収納体４の後面壁には、位置割出部６内を貫通してその外方へ突出される支軸２２が取り付けられる。この支軸２２は、係止突起２２ａを一端に有するとともに、他端に係止フランジ２２ｂを有し、位置割出部６の突出先端から収納体４の後壁面の貫通孔２３を介して収納部１９内に挿通された係止突起２２ａが収納部１９に装着される保持ピース２４に保持されることで、収納体４に固定される。
【００１１】
そしてこの支軸２２には、位置割出部６に対して収納体４の押し込み操作方向から突き合わせる配置で、かつ相対回転可能に、位置割出部６とほぼ同じ内・外径を有する円筒状の回転体８が回転自在に支持される。位置割出部６と向かい合う回転体８の先端には、その端面に回転体８の周方向に沿って割出溝７と同一寸法の鋸歯状の凹凸が形成され、この凹凸によって割出溝７に係脱自在に係合される複数の係合突起９が形成される。すなわち、係合突起９は、鋸歯状の凹凸を形成する一対の傾斜部の山によって形成される。そして係合突起９は、谷となる割出溝７に対し、これらを形成する傾斜部を滑り上がることで離脱され、また滑り下りることで係合されるようになっていて、割出溝７に係合されて位置割出部６に対する回転体８の取付位置を割り出すとともに、特に傾斜部を滑り上がる離脱作用は、位置割出部６に対する回転体８の相対回転によって生じるようになっている。
【００１２】
この回転体８の後端とこれに向かい合う支軸２２の係止フランジ２２ｂとの間には、圧縮状態で第２バネ１０が設けられる。この第２バネ１０は、回転体８を位置割出部６へ向かって収納体４の押し込み操作方向に常時押圧付勢するようになっていて、これにより割出溝７に係合突起９を係合させて、取付位置にて回転体８と位置割出部６とを一体化させることができるようになっている。さらに、回転体８には、その外周面にその周方向に沿って等間隔で４つの回転生成突起１１が形成される。これら回転生成突起１１は、位置割出部６に対する回転体８の相対回転を生じさせるために、制御突起１２と連係して、第２バネ１０に抗して係合突起９を割出溝７から離脱させるようになっている。
【００１３】
他方、ケース本体３内には、収納体４の後方位置に形成した保持片２５に固定して、保持ブロック１３が設けられる。この保持ブロック１３は、収納体４の押し込み操作に従って移動される位置割出部６や回転体８が挿抜可能に挿入される円筒状内周面を有する。この円筒状内周面には、その周方向に沿って、回転生成突起１１の数に対応する４つの制御突起１２が形成される。そしてこれら制御突起１２は、回転生成突起１１と連係して、押し込み操作された収納体４を第１バネ５に抗してケース本体３内に没入状態で保持したり、あるいは収納体４の再度の押し込み操作に応じてこの保持を解除し第１バネ５が収納体４をケース本体３外方へ突出させるのを許容したりするようになっている。
【００１４】
制御突起１２は、円筒状内周面の周方向に面する一対の側端面１２ａ，１２ｂと、収納体４に向かい合う前端面側に位置させて一方の側端面１２ａに形成される第１当接面１５と、反対側の後端面に位置させて他方の端面１２ｂに形成される第２当接面１７と、後端面に形成される係止溝１６とを備える。一対の側端面１２ａ，１２ｂは、円筒状内周面上に、向かい合う隣接する制御突起１２の側端面１２ａ，１２ｂとの間に収納体４の押し込み操作方向に沿って案内通路１４を区画形成する。案内通路１４は、その入口が側端面１２ａ，１２ｂの前端面側に位置し、出口が後端面側に位置し、これら入口から出口にわたって回転生成突起１１を収納体４の押し込み操作方向に沿って案内するようになっている。
【００１５】
第１当接面１５は、案内通路１４の入口に位置させて、側端面１２ａから前端面に向かって傾斜させて形成される。回転生成突起１１には、この第１当接面１５と向かい合わせてこれに沿う第１斜面１１ａが形成される。また回転生成突起１１には、第１斜面１１ａの反対側に、第２当接面１７と向かい合わせてこれに沿う第２斜面１１ｂが形成される。そして第１当接面１５は、収納体４の押し込み操作に応じて回転体８が保持ブロック１３に挿入される際、案内通路１４の入口から出口に向かって移動する回転体８の回転生成突起１１の第１斜面１１ａが当接されると、回転生成突起１１を、第２バネ１０に抗して回転体８を正転方向（一方向）へ相対回転させるように円筒状内周面の周方向へ押圧しながら、案内通路１４へと案内するようになっている。
【００１６】
係止溝１６は、案内通路１４の出口に位置させて、第２斜面１１ｂに沿う案内斜面１６ａと回転制止面１６ｂとを備えて形成され、回転生成突起１１を係脱自在に係止するようになっている。案内斜面１６ａは、回転生成突起１１の係止溝１６への進入を案内し、回転制止面１６ｂは、回転体８の係合突起９と位置割出部６の割出溝７との位相をずらした状態、すなわち係合突起９を割出溝７から離脱させた状態で回転体８の回転を制止する機能を果たす。回転生成突起１１は、収納体４の押し込み操作によって案内通路１４の出口に達すると制御突起１２から外れることとなる。ここで収納体４の押し込み操作を停止すると、第１バネ５および第２バネ１０の押圧付勢力が作用し、回転体８は位置割出部６に対し、第２バネ１０の押圧付勢力によって割出溝７と係合突起９とが係合する反転方向（反対方向）へと相対回転される。この相対回転により、回転生成突起１１は制御突起１２の後端面、すなわち係止溝１６と向かい合うことになる。またこれと同時に、第１バネ５の押圧付勢力によって、回転体８を含む収納体４全体がケース本体３外方へと押圧付勢される。これにより、回転生成突起１１はその第２斜面１１ｂが案内斜面１６ａに沿って移動されて、当該回転生成突起１１、ひいては収納体４が係止溝１６に係止され、収納体４がケース本体３内に没入された状態で保持される。
【００１７】
この際、回転生成突起１１の反転がその途中で回転制止面１６ｂによって制止され、従って回転生成突起１１が係止溝１６に係止されている状態では、第２バネ１０の押圧付勢力がさらに回転体８を反転させようとしている状態となっている。他方、第１バネ５および第２バネ１０に抗して、再度収納体４の押し込み操作を行うと、これに応じて回転生成突起１１は回転制止面１６ｂに沿って係止溝１６から離脱され、収納体４のケース本体３に対する没入状態が解除される。
【００１８】
第２当接面１７は、案内通路１４の出口に位置させて、側端面１２ｂから後端面に向かって傾斜させて形成される。収納体４のケース本体３に対する没入状態を解除する再度の収納体４の押し込み操作によって回転生成突起１１を係止溝１６から離脱した後、収納体４の押し込み操作を停止すると、第１バネ５および第２バネ１０の押圧付勢力が作用し、回転体８は位置割出部６に対し、第２バネ１０の押圧付勢力によって反転方向へと相対回転され、割出溝７と係合突起９とが係合される。この相対回転により、回転生成突起１１の第２斜面１１ｂは制御突起１２の第２当接面１７と向かい合うことになる。またこれと同時に、第１バネ５の押圧付勢力によって、回転体８を含む収納体４全体がケース本体３外方へと押圧付勢される。
【００１９】
これにより、回転生成突起１１はその第２斜面１１ｂが第２当接面１７に当接される。このように第１バネ５による押圧付勢力で回転体８が保持ブロック１３から抜け出す際、案内通路１４の出口から入口に向かって向かう回転生成突起１１の第２斜面１１ｂが第２当接面１７に当接すると、第２当接面１７は、回転生成突起１１を、第２バネ１０に抗して回転体８をさらに反転方向へ相対回転させるように円筒状内周面の周方向へ押圧しながら、案内通路１４へと案内するようになっている。
【００２０】
回転生成突起１１が案内通路１４の入口から離脱する際には、回転体８は保持ブロック１３から抜け出しつつ第２バネ１０の押圧付勢力の作用を受けて回転されて係合突起９が割出溝７に滑り込んで係合するとともに、そしてまた収納体４は第１バネ５の押圧付勢力によってケース本体３の開口部２から外方へと突出される。
【００２１】
以上の構成を備える本実施形態にかかるノック式スライドケース１の作動について説明すると、収納体４がケース本体３内に没入されている状態では、回転体８の回転生成突起１１が保持ブロック１３内で制御突起１２の係止溝１６に係止されている。この際、収納体４は第１バネ５によってケース本体３外方へと押圧付勢されている状態にある。この状態から、収納体４をケース本体３外方へ突出させる際には、手指で操作突起２０をノック式に一旦押し込む。操作突起２０を押し込み操作すると、回転生成突起１１が係止溝１６から離脱され、第２バネ１０の作用で第２斜面１１ｂが制御突起１２の第２当接面１７と向かい合う。操作突起２０から手指を離すと、第１バネ５の押圧付勢力により、第２当接面１７の作用で回転生成突起１１が案内通路１４から離脱して回転体８が保持ブロック１３から抜け出し、これにより弾性片１８に案内させつつケース本体３の開口部２から外方へと収納体４を跳ね出すように突出させることができる。
【００２２】
次いで、収納体４をケース本体３内に没入させる際には、操作突起２０を利用して手指で収納体４をケース本体３内に押し込んでいく。収納体４を押し込んでいくと、まず第１バネ５がケース本体３の後壁面に当接する。さらに押し込んでいくと、回転体８の回転生成突起１１の第１斜面１１ａが制御突起１２の第１当接面１５に当接し、この第１当接面１５の作用で回転体８は位置割出部６に対する相対回転を伴いながら保持ブロック１３に挿入されていく。そして回転生成突起１１が案内通路１４の出口に達した際に、操作突起２０から手指が離されると、第１バネ５および第２バネ１０の作用で回転生成突起１１は係止溝１６に係止されることとなり、これにより収納体４をケース本体３内に没入状態で収納させることができる。
【００２３】
このように本実施形態にあっては、従来技術のように振れ動く揺動アームを用いることなく、主に回転動作する回転体８とこれを離脱可能に保持する保持ブロック１３とによって、収納体４の出没動作を行わせることができるので、当該作動を長期間にわたって安定的に保証することができる。
【００２４】
次に、組立について説明すると、収納体４については、位置割出部６に回転体８を係合させた状態で回転体８に第２バネ１０を当て、その後第２バネ１０側から収納体４に向かって支軸２２を挿入し、支軸２２の係止突起２２ａを保持ピース２４で収納体４に固定する。また、筒部２１に第１バネ５を装着する。他方、ケース本体３は別体とされた天井部３ａを取り外しておいて、底部の保持片２５に保持ブロック１３を固定するとともに弾性片１８を装着し、その後、天井部３ａを取り付けて箱体状とする。このようにして収納体４およびケース本体３を完成した後、収納体４をケース本体３の開口部２から差し込むことにより、組立を完成することができる。
【００２５】
特に本実施形態にあっては、従来技術のように不安定に振れ動く揺動アームを用いることなく、収納体４の位置割出部６によって取付位置が割り出される回転体８と、ケース本体４に固定される保持ブロック１３とを、第２バネ１０の作用によって、両者の位置決めを高い精度で行う必要なく自在に組み立てることができ、単に完成状態のケース本体３内に収納体４を挿入するというきわめて簡単な作業だけで、適切な作動が得られる組立作業を完了することができて、その製造性を向上することができる。
【図面の簡単な説明】
【００２６】
【図１】本発明にかかるノック式スライドケースの好適な一実施形態を示す斜視図である。
【図２】図１のノック式スライドケースの平面断面図である。
【図３】図１のノック式スライドケースの側断面図である。
【図４】図１のノック式スライドケースの要部分解斜視図である。
【図５】図１のノック式スライドケースの収納体の没入状態を示す要部拡大平面断面図である。
【図６】図１のノック式スライドケースの収納体の突出状態を示す要部拡大平面断面図である。
【符号の説明】
【００２７】
１  ノック式スライドケース            ２  開口部
３  ケース本体                        ４  収納体
５  第１バネ                          ６  位置割出部
７  割出溝                            ８  回転体
９  係合突起                          １０  第２バネ
１１  回転生成突起                    １２  制御突起
１２ａ，１２ｂ  制御突起の一対の端面  １３  保持ブロック
１４  案内通路                        １５  第１当接面
１６  係止溝                          １７  第２当接面
【図１】
2005170403.tif 000003
【図２】
2005170403.tif 000004
【図３】
2005170403.tif 000005
【図４】
2005170403.tif 000006
【図５】
2005170403.tif 000007
【図６】
2005170403.tif 000008